(57)【要約】【課題】密領域及び粗領域を有するグラデーションのモアレ模様（干渉縞）を立体的に現出することができる立体模様装飾体を提供する。【解決手段】立体模様装飾体１を構成する透明なプレート状装飾体２の略表面全体に、略半球形状断面を有する透明なドット状の凸レンズ３…を印刷し、該装飾体２の密領域から粗領域に向けて徐々に粗状態となる第１パターンＡに配列する。プレート状装飾体２の略裏面全体に、所望の色に着色したドット状の模様４…を印刷し、装飾体２の密領域から粗領域に向けて徐々に粗状態となる第１パターンＡと同一の第２パターンＢに配列する。第１パターンＡと第２パターンＢとをモアレ模様が現出する角度θに変位又は交差して、模様密度及び色の濃度が密領域と粗領域との間で変化するグラデーションのモアレ模様を立体的に現出する。【選択図】  図１
2005169879.tif 000002
【特許請求の範囲】
【請求項１】
透光性を有する透明な装飾体の表面に、略半球形状断面を有する透明なドット状の凸レンズを連続して所定のパターンに付設し、
上記装飾体の裏面に、所望の色に着色したドット状の模様を連続して上記凸レンズと略同一のパターンに付設し、
上記凸レンズ及び模様の各パターンをモアレ模様が現出する角度に変位させて、
上記凸レンズ及び模様を、上記装飾体表裏面に設定した密領域に向けて徐々に密状態となるように配列し、該密領域から遠くなる部分に設定した粗領域に向けて徐々に粗状態となるようなグラデーションに配列した
立体模様装飾体。
【請求項２】
透明又は不透明な装飾体の表面に、所望の色に着色したドット状の模様を連続して所定のパターンに付設し、
上記模様のパターン上面に、透光性を有する透明な透過層を形成し、
上記透過層の上面に、略半球形状断面を有する透明なドット状の凸レンズを連続して上記模様と略同一のパターンに付設し、
上記凸レンズ及び模様の各パターンをモアレ模様が現出する角度に変位させて、
上記凸レンズ及び模様を、上記装飾体表面に設定した密領域に向けて徐々に密状態となるように配列し、該密領域から遠くなる部分に設定した粗領域に向けて徐々に粗状態となるようなグラデーションに配列した
立体模様装飾体。
【請求項３】
上記装飾体を、柔軟不可な硬さを有するプレート又は柔軟性を有するシートで構成した
請求項１又は２記載の立体模様装飾体。
【請求項４】
上記凸レンズ及び模様の少なくとも一方を、上記密領域から粗領域に向けて徐々に小さくなるように配列した
請求項１又は２記載の立体模様装飾体。
【請求項５】
上記凸レンズを、上記密領域から粗領域に向けて徐々に低くなるように配列した
請求項１又は２記載の立体模様装飾体。
【請求項６】
上記凸レンズ及び模様の少なくとも一方を、上記密領域から粗領域に向けて徐々に間隔が広くなるように配列した
請求項１又は２記載の立体模様装飾体。
【請求項７】
上記凸レンズ及び模様を略同等又は異なる大きさに形成した
請求項１又は２記載の立体模様装飾体。
【発明の詳細な説明】
【技術分野】
【０００１】
この発明は、例えば密領域及び粗領域を有するグラデーションのモアレ模様（干渉縞）を立体的に現出することができる立体模様装飾体に関する。
【背景技術】
【０００２】
従来、上述の立体模様装飾体としては、例えば透明基板の表面に、透明性を有する多数の独立した凸状集光素が一定の微細なピッチにて規則正しい配列状態に印刷又は形成し、透明基板の裏面に、表面の凸状集光素と同形状で同配列状態又は異形状で同配列状態の多数の着色画素を印刷又は形成し、着色画素の視認サイズが大幅に変化するように表面の凸状集光素に対し交差角をずらせた特許文献１の点描画模様の装飾体と、
透明性シートの一面に、所定のピッチで繰り返された第１の模様を有する第１のパターン部を設け、前記透明性シートの他面に、前記第１の模様と相似形状又は所定のピッチで繰り返された第２の模様を用いて形成されたモアレ模様（干渉縞）を有する第２のパターン部を設けた特許文献２の装飾シートと、
透明性媒体の表裏に、所定ピッチで繰り返された基本構成要素を有する少なくとも２つのパターン層を備え、この少なくとも２つのパターン層が重ね合わされる領域において、少なくとも一つのパターン層が基本構成要素の少なくとも一部の大きさを変化させて得られるグラデーションモチーフ（図柄）を有する特許文献３の装飾表示体とがある。
【０００３】
しかし、上述の特許文献１，２は、凸状集光素及び着色画素と、第１及び第２の模様とを所定のピッチで規則正しく配列しているので、何れの方向から見てもモアレ模様が略同一に変化するが、模様密度の変化や色の濃淡が無く、見る方向及び角度によって、模様密度及び色の濃度が密状態と粗状態とに変化するようなグラデーションのモアレ模様を立体的に現出する効果が得られない。且つ、特許文献３は、グラデーションのモアレ模様を、透明性媒体の表裏両面に形成した２つのパターン層を構成する基本構成要素の大きさを変化させることにより現出するが、２つのパターン層の角度を交差することによるモアレ模様の変化が見られず、凸レンズにより模様を立体的に浮き上がらせるような効果もなく、透明性媒体の屈折率が小さいため、密領域及び粗領域を有するグラデーションのモアレ模様を立体的に現出することができないという問題点を有している。
【０００４】
【特許文献１】特許第３３３８８６０号
【特許文献２】特許第３１３１７７１号
【特許文献３】特開２００２−１０３９００号
【発明の開示】
【発明が解決しようとする課題】
【０００５】
この発明は上記問題に鑑み、凸レンズ及び模様を、装飾体の表裏両面又は表面に設定した密領域に向けて徐々に密状態となるように配列し、該密領域から遠くなる部分に設定した粗領域に向けて徐々に粗状態となるように配列することにより、密領域及び粗領域を有するグラデーションのモアレ模様（干渉縞）を立体的に現出することができる立体模様装飾体の提供を目的とする。
【課題を解決するための手段】
【０００６】
この発明は、透光性を有する透明な装飾体の表面に、略半球形状断面を有する透明なドット状の凸レンズを連続して所定のパターンに付設し、上記装飾体の裏面に、所望の色に着色したドット状の模様を連続して上記凸レンズと略同一のパターンに付設し、上記凸レンズ及び模様の各パターンをモアレ模様が現出する角度に変位させると共に、上記凸レンズ及び模様を、上記装飾体表裏面に設定した密領域に向けて徐々に密状態となるように配列し、該密領域から遠くなる部分に設定した粗領域に向けて徐々に粗状態となるようなグラデーションに配列した立体模様装飾体、或いは、透明又は不透明な装飾体の表面に、所望の色に着色したドット状の模様を連続して所定のパターンに付設し、上記模様のパターン上面に、透光性を有する透明な透過層を形成し、上記透過層の上面に、略半球形状断面を有する透明なドット状の凸レンズを連続して上記模様と略同一のパターンに付設し、上記凸レンズ及び模様の各パターンをモアレ模様が現出する角度に変位させると共に、上記凸レンズ及び模様を、上記装飾体表面に設定した密領域に向けて徐々に密状態となるように配列し、該密領域から遠くなる部分に設定した粗領域に向けて徐々に粗状態となるようなグラデーションに配列した立体模様装飾体であることを特徴とする。
【０００７】
上述の装飾体は、凸レンズ及び模様の変位又は交差によるモアレ模様を現出するのに適した肉厚に、例えば合成樹脂やガラス等の可視光が透過するような透光性を有する透明な材質で構成することができるが、模様を認識可能であれば半透明及び着色された材質でもよい。その合成樹脂としては、例えばポリエチレンやポリプロピレン、ポリエステル、アクリル、ナイロン、塩化ビニル等を用いることができる。且つ、プレート状の装飾体を用いる場合、耐候性及び強度の点において柔軟不可な硬さを有するアクリル製のプレートを用いるのが好ましく、例えば略１ｍｍ〜略２ｍｍの範囲に含まれる肉厚のプレートを用いるが、略１ｍｍ以下及び略２ｍｍ以上の肉厚を有するプレートを用いてもよい。また、シート状の装飾体を用いる場合、例えば略１ｍｍ以下の肉厚で、柔軟性を有する塩化ビニル製のシートを用いるのが好ましい。
【０００８】
また、凸レンズは、密領域に向けて徐々に密集及び近接する密状態に配列し、粗領域に向けて徐々に離間及び分離する粗状態に配列している。且つ、例えば略半球形状断面や略楕円形状断面等の所定の屈折率を有する凸状レンズ形態に、上述の装飾体と略同一又は略同等の透光性を有する透明な合成樹脂やインクで構成することができるが、ドット状の模様が認識可能であれば半透明及び着色された合成樹脂やインクで構成することもできる。その凸レンズを付設する方法として、例えば透光性を有するインキで微細なドット状に印刷（スクリーン印刷やシルク印刷等）するか、プレス加工で形成する等して一体的に設けることができる。なお、印刷する場合、上述のような凸状レンズ形態に保つのに適した粘度及び表面張力を有する合成樹脂やインキを用いるのが好ましい。予め凸レンズが印刷又は形成されたシートやフィルムを一体的に貼り合わせることもできる。
【０００９】
また、模様は、上述の凸レンズと略同一パターンに配列すると共に、密領域に向けて徐々に密集及び近接する密状態に配列し、粗領域に向けて徐々に離間及び分離する粗状態に配列している。その模様を付設する方法として、例えばブラックやレッド、オレンジ等の所望の色に着色されたインキで微細なドット状に印刷（スクリーン印刷やシルク印刷等）するか、転写印刷や蒸着印刷する等して一体的に設けることもできる。
【００１０】
また、密領域から粗領域に向けて徐々に粗状態となるようなグラデーションのモアレ模様を現出する場合、凸レンズ及び模様の各パターンを、例えば略１度〜略１０度の範囲に含まれるような角度に変位又は交差するが、略２度や略４度、略６度、略８度等の角度に変位又は交差するのが好ましい。且つ、略１度以下及び略１０度以上の角度に変位又は交差して、現出するモアレ模様を変更することもできる。且つ、凸レンズ及び模様は、例えば略円形や略楕円形、略三角形、略四角形、略菱形、略星形、略雲形等の略同一又は異なるような所望する形状に形成することができる。
【００１１】
つまり、立体模様装飾体を構成する透明な装飾体表面に、略半球形状断面を有する透明なドット状の凸レンズを連続して所定のパターンに敷設し、装飾体裏面に、所望の色に着色したドット状の模様を連続して凸レンズと同一のパターンに付設する。且つ、凸レンズ及び模様の各パターンをモアレ模様が現出する角度に変位（又は交差）させて、装飾体表裏面に設定した密領域から粗領域に向けて徐々に模様密度及び色の濃度が薄くなるようなグラデーションのモアレ模様を現出するので、立体模様装飾体を表面側から見たとき、その見る方向及び角度によって模様が凸レンズにより様々な方向に屈折し、様々な大きさに変形及び変倍される。且つ、凸レンズ及び模様が織り成すモアレ模様が密状態と粗状態とに立体的に変化する。また、上述の凸レンズ及び模様を装飾体の表面のみに付設してもよい。
【００１２】
実施の形態として、上記装飾体を、柔軟不可な硬さを有するプレート又は柔軟性を有するシートで構成することができる。また、上記凸レンズ及び模様の少なくとも一方を、上記密領域から粗領域に向けて徐々に小さくなるように配列するか、密領域から粗領域に向けて徐々に低くなるように配列することができる。つまり、凸レンズ及び模様のピッチ間隔（中心間）が一定していても、密領域に向けて徐々に間隔が狭くなる密状態に配列し、粗領域に向けて間隔が広くなる粗状態に配列しているので、互いに密集又は近接する密領域と、離間又は分離する粗領域との間で模様密度及び色の濃度が変化するようなグラデーションのモアレ模様を現出することができる。
【００１３】
また、上記凸レンズ及び模様の少なくとも一方を、上記密領域から粗領域に向けて徐々に間隔が広くなるように配列することもできる。つまり、凸レンズの大きさが略同一であっても、密領域に向けて徐々に間隔が狭くなる密状態に配列し、粗領域に向けて間隔が広くなる粗状態に配列しているので、密領域と粗領域との間で模様密度及び色の濃度が変化するようなグラデーションのモアレ模様を現出することができる。
【００１４】
また、上記凸レンズ及び模様を略同等又は異なる大きさに形成することもできる。つまり、凸レンズ及び模様の位置関係が水平方向に変位又は交差しているため、略同等の大きさであっても、見る方向及び角度によってモアレ模様が様々に変化する。且つ、凸レンズ及び模様の何れか一方を大きく、他方を小さくすると、大きさによるズレが生じ、モアレ模様が様々に変化する。
【発明の効果】
【００１５】
この発明によれば、立体模様装飾体を表面側から見たとき、その見る方向及び角度によって模様が凸レンズにより様々な方向に屈折され、様々な大きさに変形及び変倍されるので、特許文献３の装飾表示体よりも、屈折率が大きく、模様が立体的に浮き上がって見える。且つ、特許文献１，２の装飾体及び装飾シートよりも、凸レンズ及び模様が織り成すモアレ模様が密状態と粗状態とに立体的に変化するため、モアレ模様の模様密度及び色の濃度が密領域と粗領域との間で変化するようなグラデーションのモアレ模様を現出することができる。
【発明を実施するための最良の形態】
【００１６】
この発明は、密領域及び粗領域を有するグラデーションのモアレ模様（干渉縞）を立体的に現出することができるという目的を、略半球形状断面を有する透明なドット状凸レンズからなる第１パターンと、所望の色に着色したドット状模様からなる第２パターンとを所定角度に変位（又は交差）して装飾体の表裏両面又は表面に付設すると共に、該凸レンズと模様とを模様密度及び色の濃度が変化するようなグラデーションに配列することで実現した。
【実施例】
【００１７】
この発明の一実施例を以下図面に基づいて詳述する。
【００１８】
図面は、密領域と粗領域との間で模様密度及び色の濃度が変化するようなグラデーションのモアレ模様を立体的に現出するプレート状の立体模様装飾体を示し、図１及び図２に於いて、このプレート状の立体模様装飾体１は、柔軟不可な硬さ及び透光性を有する透明な合成樹脂で形成したプレート状装飾体２の略表面全体（又は一部）に、略半球形状断面を有する透明なドット状の凸レンズ３…を連続して印刷又は形成し、装飾体２表面に設定した密領域（左側）から粗領域（右側）に向けて徐々に粗状態となるような第１パターンＡに配列している。且つ、プレート状装飾体２の略裏面全体（又は一部）に、所望の色に着色したドット状の模様４…を連続して印刷又は形成し、装飾体２裏面に設定した密領域（左側）から粗領域（右側）に向けて徐々に粗状態となるような第１パターンＡと略同一の第２パターンＢに配列している。
【００１９】
且つ、第１パターンＡと第２パターンＢとをモアレ模様が現出する角度θに変位（又は交差）して、凸レンズ３…及び模様４…の位置関係を水平方向に変位させ、プレート状装飾体２の表裏両面に設定した密領域に向けて徐々に密状態となるように配列し、その密領域から遠くなる部分に設定した粗領域に向けて徐々に粗状態となるようなグラデーションに配列して、密領域から粗領域に向けて徐々に模様密度及び色の濃度が薄くなるようなモアレ模様を現出する。上述の角度θは、例えば略１度〜略１０度の範囲に含まれるような角度θに変位させて交差するが、略２度や略４度、略６度、略８度等の角度θに交差するのが好ましい。且つ、略１度以下及び略１０度以上の角度θに交差して、現出するモアレ模様を変更することもできる。
【００２０】
上述の凸レンズ３…は、図１、図３にも示すように、透光性を有する透明な合成樹脂のインクをプレート状装飾体２の略表面全体にスクリーン印刷して、表面側から見て略丸形状（略丸形状を含む）の凸レンズ３…を、プレート状装飾体２の表面に沿って所定のピッチ間隔Ｐで連続して形成すると共に、所定の屈折率を有する略半球形状断面の凸状レンズ形態に形成する。且つ、インキは、凸状レンズ形態に保つのに適した粘度及び表面張力を有している。
【００２１】
つまり、凸レンズ３…を、プレート状装飾体２の密領域から粗領域に向けて外径が順又は徐々に小さくなるように形成すると共に、表面から見て密領域に向けて徐々に間隔が狭くなるような密状態（密集及び近接する状態）に配列し、粗領域に向けて徐々に間隔が広くなるような粗状態（離間及び分離する状態）に配列している。且つ、凸レンズ３…の高さＨａ，Ｈｂ，Ｈｃを、密領域から粗領域に向けて順又は徐々に低くなるように設定し、凸レンズ３…の間隔Ｗａ，Ｗｂ，Ｗｃを、密領域から粗領域に向けて順又は徐々に広くなるように設定している。
【００２２】
前述の模様４…は、図１、図４にも示すように、所望の色に着色されたインクをプレート状装飾体２の略裏面全体にスクリーン印刷して、裏面側から見て略円形状（略丸形状を含む）の模様４…を、プレート状装飾体２の裏面に沿って所定のピッチ間隔Ｐで連続して形成している。且つ、模様４…を、プレート状装飾体２の密領域から粗領域に向けて外径が順又は徐々に小さくなるように形成すると共に、裏面から見て密領域に向けて徐々に密集及び近接する密状態となるように配列し、粗領域に向けて徐々に離間及び分離する粗状態となるように配列している。且つ、模様４…の間隔Ｗａ，Ｗｂ，Ｗｃを、密領域から粗領域に向けて順又は徐々に広くなるように設定している。なお、凸レンズ３…及び模様４…は、例えば略楕円形や略三角形、略四角形、略菱形、略星形、略雲形等の略同一又は異なるような所望する形状に形成することができる。
【００２３】
図示実施例は上記の如く構成するものにして、以下、プレート状の立体模様装飾体１による立体的なモアレ模様（干渉縞）の現出方法を説明する。
【００２４】
つまり、立体模様装飾体１を表面側から見たとき、図１、図２にも示すように、凸レンズ３と模様４とが略完全に重なり合った部分では、左右上下の何れの方向から見ても模様４の略全体を認識することができるが、凸レンズ３と模様４とが略半径分変位（略１／２）した状態に重なり合った部分では、右斜め方向から見たとき模様４を認識することができず、左斜め方向から見たとき模様４の略半分を認識することができるので、見る方向によって模様４が視認可能であったり、視認不可能であったりすることがある。
【００２５】
且つ、凸レンズ３と模様４とが略完全に重なり合った部分から遠く離れた部分では、右斜め方向から見たとき模様４を認識することが不可能であり、左斜め方向から見たとき模様４の一部だけしか認識することができず、立体模様装飾体１の表面側を正面から見たとき、その見る方向及び角度によって凸レンズ３…及び模様４…が織り成すモアレ模様が立体的に変化する。
【００２６】
且つ、図５、図６にも示すように、凸レンズ３…及び模様４…を、密領域に向けて徐々に密状態となるように配列し、粗領域に向けて徐々に粗状態となるように配列して、第１パターンＡ及び第２パターンＢをモアレ模様が現出する角度θに変位及び交差しているので、密領域と粗領域との間で、凸レンズ３…及び模様４…が織り成すモアレ模様の模様密度及び色の濃度が変化するだけでなく、密領域から粗領域に向けて斑点状の模様間隔が徐々に広くなり、徐々に薄く且つ大きくなるようなグラデーションのモアレ模様が現出される。
【００２７】
以上のように、立体模様装飾体１を表面側から見たとき、その見る方向及び角度によって、プレート状装飾体２裏面の模様４…が凸レンズ３…により様々な方向に屈折され、様々な大きさに変形及び変倍されるので、特許文献３の装飾表示体よりも、屈折率が大きく、模様４…が立体的に浮き上がって見える。且つ、特許文献１，２の装飾体及び装飾シートよりも、凸レンズ３…及び模様４…が織り成すモアレ模様が密状態と粗状態とに立体的に変化するため、モアレ模様の模様密度及び色の濃度が密領域と粗領域との間で変化するようなグラデーションのモアレ模様を現出することができる。
【００２８】
図７は、凸レンズ３…を略同一の高さ及び大きさに形成したプレート状立体模様装飾体１の他の例を示し、凸レンズ３…及び模様４…の間隔Ｗａ，Ｗｂ，Ｗｃを、プレート状装飾体２の密領域に向けて順又は徐々に間隔が狭くなるように設定し、粗領域に向けて順又は徐々に間隔が広くなるように設定して、密領域から粗領域に向けて間隔及び密度が粗状態となるようなグラデーションに配列している。つまり、第１パターンＡと第２パターンＢとをモアレ模様が現出する角度θに変位又は交差しているので、凸レンズ３…及び模様４…の大きさが略同一であっても、見る方向及び角度によってモアレ模様が様々に立体的に変化し、密領域から粗領域に向けて徐々に模様密度及び色の濃度が薄くなるようなグラデーションのモアレ模様が現出されるため、上述の実施例と略同等の作用及び効果を奏することができる。なお、凸レンズ３…の間隔Ｗａ，Ｗｂ，Ｗｃを密領域から粗領域に向けて順又は徐々に広くなるように設定してもよい。
【００２９】
図８は、凸レンズ３…及び模様４…を異なる大きさに形成したプレート状立体模様装飾体１のその他の例を示し、凸レンズ３…及び模様４…のピッチ間隔Ｐが一定していても、第１パターンＡと第２パターンＢとをモアレ模様が現出する角度θに変位又は交差しているので、見る方向及び角度によってモアレ模様が様々に立体的に変化し、上述の実施例と略同等の作用及び効果を奏することができる。
【００３０】
図９、図１０は、柔軟性を有する不透明な合成樹脂で形成したシート状装飾体１２の略表面全体（又は一部）に、凸レンズ１３…及び模様１４…を印刷又は形成したシート状立体模様装飾体１１のその他の例を示し、シート状装飾体１２の略表面全体（又は一部）に、例えばアルミニウムやその他の金属等を略均一にコーティング（又は塗布、蒸着等）して鏡面状の反射層１２ａを形成し、その反射層１２ａの略上面全体（又は一部）に、所望の色に着色したインクをスクリーン印刷して、表面側から見て略円形状（略丸形状を含む）を有するドット状の模様４…を、プレート状装飾体１２の表面に積層した反射層１２ａの上面に沿って所定のピッチ間隔Ｐで連続して形成し、プレート状装飾体１２の密領域から粗領域に向けて順又は徐々に粗状態となるようなグラデーションの第２パターンＢに配列する。
【００３１】
且つ、透光性を有する透明な合成樹脂を反射層１２ａ及び模様４…の略上面全体（又は一部）が略均一に覆われるように塗布又は積層して、モアレ模様を現出するのに適した肉厚を有する透過層１２ｂを反射層１２ａ及び模様４…の上面に直接形成する。且つ、透光性を有する透明な合成樹脂のインクを透過層１２ｂの略上面全体（又は一部）にスクリーン印刷して、略半球形状断面を有する透明なドット状の凸レンズ１３…を、透過層１２ｂの上面に沿って所定のピッチ間隔Ｐで連続して直接的に形成し、プレート状装飾体１２の密領域から粗領域に向けて順又は徐々に粗状態となるような第１パターンＡに配列する。
【００３２】
且つ、第１パターンＡと第２パターンＢとを面方向に対してモアレ模様が現出する角度θに水平方向に変位又は交差して、シート状装飾体１２の表面に設定した密領域に向けて徐々に密状態となるように配列し、その密領域から遠くなる部分に設定した粗領域に向けて徐々に粗状態となるようなグラデーションに配列して、密領域から粗領域に向けて徐々に模様密度及び色の濃度が薄くなるようなモアレ模様を現出する。且つ、粘着剤１２ｃが略均一に塗布されたシート状装飾体１２の略裏面全体に、柔軟性を有するシート状の台紙１２ｄ（剥離紙）を貼付している。
【００３３】
つまり、凸レンズ１３…及び模様１４…をシート状装飾体１２の表面側（片面側）に形成しているが、見る方向及び角度によってモアレ模様が様々に立体的に変化し、密領域から粗領域に向けて徐々に模様密度及び色の濃度が薄くなるようなグラデーションのモアレ模様が現出されるため、前述の実施例と略同等の作用及び効果を奏することができる。また、シート状の立体模様装飾体１１を平面状や曲面状の表示部（例えば略球形状や略円筒形状等の立体形状を有する部分）に貼着する場合、台紙１２ｄを剥離して、粘着剤１２ｃの粘着力を利用して固定することもできる。
【００３４】
なお、上述の粘着剤１２ｃの代わりに、例えばマグネットや面ファスナー等の固定手段で固定することもできる。また、透過層１２ｂの代わりに、例えばガスや空気等の気体、水や溶液、薬液等の液体を介在することもできる。また、シート状装飾体１２を透明な合成樹脂で構成することもできる。
【００３５】
図１１は、凸レンズ１３…を略同一の高さ及び大きさに形成したシート状立体模様装飾体１１のその他の例を示し、凸レンズ１３…及び模様１４…の少なくとも一方の間隔Ｗａ，Ｗｂ，Ｗｃを、シート状装飾体１２の密領域に向けて順又は徐々に間隔が狭くなるように設定し、粗領域に向けて順又は徐々に間隔が広くなるように設定して、密領域から粗領域に向けて間隔及び密度が粗状態となるようなグラデーションに配列している。つまり、第１パターンＡと第２パターンＢとをモアレ模様が現出する角度θに変位又は交差しているので、凸レンズ１３…及び模様１４…の大きさが略同一であっても、見る方向及び角度によってモアレ模様が様々に立体的に変化し、密領域から粗領域に向けて徐々に模様密度及び色の濃度が薄くなるようなグラデーションのモアレ模様が現出されるため、前述の実施例と略同等の作用及び効果を奏することができる。なお、凸レンズ１３…及び模様１４…を、プレート状装飾体２の表面側（片面側）に形成することもできる。
【００３６】
なお、本発明は、上述の実施例の構成のみに限定されるものではなく、例えば凸レンズ３，１３及び模様４，１４を、プレート状装飾体２の粗領域から密領域に向けて徐々に粗状態となるようなグラデーションに配列することもできる。また、凸レンズ３及び模様４を、装飾体２，１２の中心部から外周部に向けて径方向に順又は徐々に粗状態となるようなグラデーションに配列することもできる。且つ、例えば略球形状や略円筒形状等の立体形状を有する立体模様装飾体の内外周面にも形成することも可能である。
【図面の簡単な説明】
【００３７】
【図１】プレート状の立体模様装飾体を示す縦断面図。
【図２】第１及び第２パターンの変位状態を示す拡大平面図。
【図３】第１パターンを構成する凸レンズの配列状態を示す平面図。
【図４】第２パターンを構成する模様の配列状態を示す平面図。
【図５】図６のモアレ模様が未現出状態の立体模様装飾体を示す平面図。
【図６】立体模様装飾体が現出するモアレ模様の変化を示す平面図。
【図７】立体模様装飾体の他の例を示す縦断面図。
【図８】凸レンズ及び模様の大きさが異なるその他の例を示す縦断面図。
【図９】シート状の立体模様装飾体のその他の例を示す縦断面図。
【図１０】第１及び第２パターンの交差状態を示す平面図。
【図１１】立体模様装飾体のその他の例を示す縦断面図。
【符号の説明】
【００３８】
１…立体模様装飾体
２…プレート状装飾体
３…凸レンズ
４…模様
１１…立体模様装飾体
１２…シート状装飾体
１３…凸レンズ
１４…模様
Ａ…第１パターン
Ｂ…第２パターン
【図１】
2005169879.tif 000003
【図２】
2005169879.tif 000004
【図３】
2005169879.tif 000005
【図４】
2005169879.tif 000006
【図５】
2005169879.tif 000007
【図６】
2005169879.tif 000008
【図７】
2005169879.tif 000009
【図８】
2005169879.tif 000010
【図９】
2005169879.tif 000011
【図１０】
2005169879.tif 000012
【図１１】
2005169879.tif 000013